(57)【要約】【課題】複数のデジタルカメラで撮影したり、日本と時差のある海外で撮影すると、画像再生の順序が実際の撮影順に一致しない。【解決手段】実撮影順のモードを選択して、撮影日時情報に基づき撮影日時順に並び替える（Ｓ００１〜Ｓ００２）。撮影日時の最も古いファイル名を抽出し、そのファイル名と同じ固定文字列を有する画像ファイルの有無を判断し、同じ固定文字列で数字列の小さな画像ファイルを抽出して撮影日時の最も古いファイル名より早い順番に並べ替える（Ｓ００３〜Ｓ００５）。異なる固定文字のファイル名の有無を判断してその情報を取得し、撮影日時の最も古い画像ファイルを抽出し、それよりも数字列の小さな画像ファイルの有無を判断し、数字列の小さな画像ファイルを早い順番に並び替え（Ｓ００６〜Ｓ０１０）、異なる固定文字のファイル名がなくなるまで繰り返して、最終的に並び替えられた画像ファイルを表示する（Ｓ０１１）。【選択図】図１１
2007281740.tif 000002
【特許請求の範囲】
【請求項１】
被写体を撮像して画像ファイルとして文字列と数字列とを有するファイル名を付して記録手段に記録するに際し、当該記録手段に記録する画像ファイルを再生表示した際に当該表示画像とともに表示可能な撮影時刻情報を当該画像ファイル内に記録された複数の画像ファイルの再生表示方法であって、
前記複数の画像ファイルを前記撮影時刻情報の順番に並べ替える第１のステップと、
前記第１のステップにおいて並べ替えられた複数の画像ファイルのうち撮影日時が最も古い画像ファイルを抽出する第２のステップと、
前記第２のステップにおいて抽出された画像ファイルのファイル名のうちの文字列部分と同じ文字列部分を有する画像ファイルを検索し、検索して得られた画像ファイルのうち、ファイル名の数字列部分が前記第２のステップで抽出された画像ファイルに付された数字列よりも小さい値を有する画像ファイルを抽出する第３のステップと、
前記第３のステップで抽出された画像ファイルの再生表示順位置をその数字列の示す数字の大きさの順番に従って前記第１のステップで抽出された画像ファイルよりも早い表示順位置に配置して並べ替えを行なう第４のステップと、
前記第２のステップで抽出された画像ファイルのファイル名の文字列とは異なる文字列を有するファイル名の画像ファイルの有無を検索し、検索されたファイル名情報を取得する第５のステップと、
前記第５のステップで取得されたファイル名情報を有する画像ファイルのうち、撮影日時の最も古い画像ファイルを抽出する第６のステップと、
前記第５のステップで取得された画像ファイルのファイル名のうちの文字列部分と同じ文字列部分を有する画像ファイルを検索し、検索して得られた画像ファイルのうち、ファイル名の数字列部分が前記第６のステップで抽出された撮影日時の最も古い画像ファイルに付された数字列よりも小さい値を有する画像ファイルを抽出する第７のステップと、
前記第７のステップで抽出された画像ファイルの再生表示順位置をその数字列の示す数字の大きさの順番に従って前記第６のステップで抽出された画像ファイルよりも早い表示順位置に配置して並べ替えるに際し、前記第３のステップで抽出され前記第４のステップで表示順位置が並べ替えられた各画像ファイルの有する撮影日時情報と当該第７のステップで抽出された各画像ファイルの撮影日時情報とを比較し、撮影日時の古い順に並べ替えを行なう第８のステップと、
前記第８のステップで並べ替えられた表示順に従って画像再生表示を行なう第９のステップと、
を有することを特徴とする画像ファイルの再生表示方法。
【請求項２】
被写体を撮像して画像ファイルとして文字列と数字列とを有するファイル名を付し、画像ファイルを再生表示した際に当該表示画像とともに表示可能な撮影時刻情報を当該画像ファイル内に記録して記録がなされた記録手段から入力された複数の画像ファイルを記録して再生表示する画像再生表示装置と、画像再生表示装置に読み込まれて画像ファイルを再生表示するためのソフトウエアとを備えた画像ファイルの再生表示システムにおいて、
前記ソフトウエアは、
前記複数の画像ファイルを前記撮影時刻情報の順番に並べ替える第１のステップと、
前記第１のステップにおいて並べ替えられた複数の画像ファイルのうち撮影日時が最も古い画像ファイルを抽出する第２のステップと、
前記第２のステップにおいて抽出された画像ファイルのファイル名のうちの文字列部分と同じ文字列部分を有する画像ファイルを検索し、検索して得られた画像ファイルのうち、ファイル名の数字列部分が前記第２のステップで抽出された画像ファイルに付された数字列よりも小さい値を有する画像ファイルを抽出する第３のステップと、
前記第３のステップで抽出された画像ファイルの再生表示順位置をその数字列の示す数字の大きさの順番に従って前記第１のステップで抽出された画像ファイルよりも早い表示順位置に配置して並べ替えを行なう第４のステップと、
前記第２のステップで抽出された画像ファイルのファイル名の文字列とは異なる文字列を有するファイル名の画像ファイルの有無を検索し、検索されたファイル名情報を取得する第５のステップと、
前記第５のステップで取得されたファイル名情報を有する画像ファイルのうち、撮影日時の最も古い画像ファイルを抽出する第６のステップと、
前記第５のステップで取得された画像ファイルのファイル名のうちの文字列部分と同じ文字列部分を有する画像ファイルを検索し、検索して得られた画像ファイルのうち、ファイル名の数字列部分が前記第６のステップで抽出された撮影日時の最も古い画像ファイルに付された数字列よりも小さい値を有する画像ファイルを抽出する第７のステップと、
前記第７のステップで抽出された画像ファイルの再生表示順位置をその数字列の示す数字の大きさの順番に従って前記第６のステップで抽出された画像ファイルよりも早い表示順位置に配置して並べ替えるに際し、前記第３のステップで抽出され前記第４のステップで表示順位置が並べ替えられた各画像ファイルの有する撮影日時情報と当該第７のステップで抽出された各画像ファイルの撮影日時情報とを比較し、撮影日時の古い順に並べ替えを行なう第８のステップと、
前記第８のステップで並べ替えられた表示順に従って画像再生表示を行なう第９のステップと、
を有することを特徴とする画像ファイルの再生表示システム。
【請求項３】
被写体を撮像して画像ファイルとして文字列と数字列とを有するファイル名を付し、画像ファイルを再生表示した際に当該表示画像とともに表示可能な撮影時刻情報を当該画像ファイル内に記録して記録がなされた記録手段から入力された複数の画像ファイルを記録して再生表示する画像再生表示装置に読み込まれて画像ファイルを再生表示するためのソフトウエアの格納された記憶媒体において、
前記ソフトウエアは、
前記複数の画像ファイルを前記撮影時刻情報の順番に並べ替える第１のステップと、
前記第１のステップにおいて並べ替えられた複数の画像ファイルのうち撮影日時が最も古い画像ファイルを抽出する第２のステップと、
前記第２のステップにおいて抽出された画像ファイルのファイル名のうちの文字列部分と同じ文字列部分を有する画像ファイルを検索し、検索して得られた画像ファイルのうち、ファイル名の数字列部分が前記第２のステップで抽出された画像ファイルに付された数字列よりも小さい値を有する画像ファイルを抽出する第３のステップと、
前記第３のステップで抽出された画像ファイルの再生表示順位置をその数字列の示す数字の大きさの順番に従って前記第１のステップで抽出された画像ファイルよりも早い表示順位置に配置して並べ替えを行なう第４のステップと、
前記第２のステップで抽出された画像ファイルのファイル名の文字列とは異なる文字列を有するファイル名の画像ファイルの有無を検索し、検索されたファイル名情報を取得する第５のステップと、
前記第５のステップで取得されたファイル名情報を有する画像ファイルのうち、撮影日時の最も古い画像ファイルを抽出する第６のステップと、
前記第５のステップで取得された画像ファイルのファイル名のうちの文字列部分と同じ文字列部分を有する画像ファイルを検索し、検索して得られた画像ファイルのうち、ファイル名の数字列部分が前記第６のステップで抽出された撮影日時の最も古い画像ファイルに付された数字列よりも小さい値を有する画像ファイルを抽出する第７のステップと、
前記第７のステップで抽出された画像ファイルの再生表示順位置をその数字列の示す数字の大きさの順番に従って前記第６のステップで抽出された画像ファイルよりも早い表示順位置に配置して並べ替えるに際し、前記第３のステップで抽出され前記第４のステップで表示順位置が並べ替えられた各画像ファイルの有する撮影日時情報と当該第７のステップで抽出された各画像ファイルの撮影日時情報とを比較し、撮影日時の古い順に並べ替えを行なう第８のステップと、
前記第８のステップで並べ替えられた表示順に従って画像再生表示を行なう第９のステップと、
を有することを特徴とする記憶媒体。
【発明の詳細な説明】
【技術分野】
【０００１】
本発明は、デジタルカメラで被写体を撮影して画像ファイルとして記録し、記録した画像ファイルをパーソナルコンピュータ（パソコン）などに取り込んで再生表示する方法、システムおよびそのためのソフトウエアの格納された記憶媒体に関する。
【背景技術】
【０００２】
デジタルカメラで撮影した画像データは、一般的に、ＪＰＥＧ形式に変換されて画像ファイル形式で記憶媒体などに記録されている。異なるメーカーのデジタルカメラ間での画像ファイルの互換性を確保するためのＤＣＦ規格や、シャッタ速度や撮影日時データなどの撮影に関する情報の互換性を確保しながら記録するためのＥＸＩＦ規格が規定されており、どのメーカーのデジタルカメラで撮影を行なってもデータ相互の互換性がこれらの規格のもとで確保されて、ユーザの利便がはかられている。
【０００３】
デジタルカメラで撮影した画像データをパーソナルコンピュータ（パソコン）などの記録装置に保存する場合、一般的に、パソコンにフォルダを作成し、作成したフォルダに画像データをコピーして画像ファイルが保存、記録されている。しかし、この記録方法では、記録される画像データの作成日時が、デジタルカメラからパソコンに保存、記録された日時となるため、記録された画像ファイルからデジタルカメラでの撮影日時（実際の撮影日時）を知ることができず、撮影日時順での画像ファイルの管理が難しい。
【０００４】
撮影日時順に画像データのソートを行えるように、例えば、特開２０００−３２２３００号公報には、デジタルスチルカメラが記憶している画像データを読み込んで記録する場合に、保存するファイルのタイムスタンプをカメラでの撮影日時データに変更する技術が記載されている。また、ファイル名およびフォルダ名を画像データの作成日付すなわち撮影日時として設定できる点も記載されている。
【特許文献１】特開２０００−３２２３００号公報
【発明の開示】
【発明が解決しようとする課題】
【０００５】
デジタルカメラで撮影を行なうと、デジタルカメラに着脱自在に装着あるいはデジタルカメラに内蔵された記憶媒体に、撮影画像が画像ファイルとして記録される。この時、画像ファイルの互換性を保つために、一般的に、前述の各規格に準拠して記録フォーマットなどが決定されている。画像ファイルにはファイル名とともに撮影時刻も記録され、画像再生表示を行なう際にはその撮影日時も画面表示可能となっている。
【０００６】
撮影日時を画像とともに表示したいというニーズは古くから存在し、フィルムカメラにおいてもフィルム上に光学的に撮影日時を写し込み、プリントされた写真上において撮影日時を把握できるようになっている。
【０００７】
ところで、最近では多くの人が、ビジネス、旅行などで海外に出かけており、時差のある海外に出かける場合には撮影日時について混乱が生じ、問題がある。例えば、日本を出発したのが１月１５日１８時３０分として、飛行機に８時間乗ってサンフランシスコに到着したと仮定すると、サンフランシスコの到着時刻は日本時間では１月１６日０２時３０分となる。しかし、日本とサンフランシスコとの間には１７時間の時差（サンフランシスコが１７時間遅い）があるため、現地時刻は１月１５日０９時３０分になる。即ち、日本を出発した日と同じ日付で日本を出発した時刻よりも早い現地到着時刻となる。通常は、現地に到着した以降は現地時間に合わせた生活となるため、現地に到着した時点あるいは現地に到着する直前に腕時計などの時刻を現地時間に修正している。
【０００８】
持参したデジタルカメラについて考察すると、画像ファイルに記録される撮影時刻を決定するカメラに内蔵された時計機能の時刻を何ら修正しなければ撮影画像に記録される時刻はすべて日本時間になり、画像再生時の時刻表示もすべて日本時間になる。そのため、例えば、現地の観光地で日中に撮影した画像に表示される時刻が、日本との間に存在する時差のために夜中の時刻となることもあり、画像とともに表示される時刻と画像の内容との間の違和感は否めない。現地では腕時計を現地時間に修正し、現地の時刻に沿った生活をしているのであるから、再生画像とともに表示される時刻も現地時間が表示されるのが望ましい。
【０００９】
従って、この違和感の発生を防ぐためにデジタルカメラに内蔵されている時計機能の時刻を現地時間に修正すればよいが、上記例では、日本出発時刻が１月１５日１８時３０分であるのに対し、現地到着時時刻が同じ日付で出発時刻より早い１月１５日０９時３０分となる。この場合、例えば日本出発時に撮影した画像の撮影時刻は、１月１５日１８時３０分であり、その後、８時間飛行機に乗り、その飛行機の中でデジタルカメラの時刻を現地時間に修正し、飛行機がサンフランシスコに到着した時に画像を撮影したとすれば、その画像の撮影時刻は１月１５日９時３０分となる。即ち、サンフランシスコ到着時の撮影画像は、撮影を行なった順序と矛盾する撮影時刻を有する画像となり、記録された画像の撮影時刻の順序と実際の撮影日時の順序とが一致せず、混乱が生じる。
【００１０】
多数の画像を撮影して海外から日本に帰国した後にその画像をパーソナルコンピュータなどの記録装置に取り込んで再生表示した場合には、上述のように撮影を行なった順序と撮影時刻の順序が不一致となり好ましくない。ここで、１台のデジタルカメラを使用して撮影したのであれば、画像ファイルの名称順に再生を行えば実際の撮影順での画像再生が可能となる。しかし、デジタルカメラを複数、例えば２台使用して撮影を行なう場合には画像ファイルの名称順に画像再生を行なっても実際の撮影順にはならない。この点を詳細に説明する。
【００１１】
ファイル名の詳細な決定方法はメーカー毎に相違し、例えば、Ａ社のデジタルカメラにおけるファイル名は、ＤＳＣＰ０００１から始まり、２枚目以降の画像ファイルはＤＳＣＰ０００２、ＤＳＣＰ０００３と数字部分が１ずつ増加する。また、Ｂ社のデジタルカメラでは、ＫＩＭＧ０００１から始まり、同様にＫＩＭＧ０００２、ＫＩＭＧ０００３と数字部分が増加する。
【００１２】
同じデジタルカメラで撮影を続ける限り、記憶媒体を交換してもファイル名生成のための基本情報はリセットされないで異なる記憶媒体について連続したファイル番号の付される技術が特開１０−１７７６４６に開示されている。この機能は現在きわめて一般的に採用されている技術であり、使用されるデジタルカメラについてもこの機能を有し、連続したファイル番号が付されるものとする。
【００１３】
例えば、Ａ社、Ｂ社各１台のデジタルカメラを持参して海外旅行に出かけ、この２台を併用して撮影を行なった結果、１台目のＡ社のデジタルカメラで撮影した画像ファイルのファイル名がＤＳＣＰ０１１４〜ＤＳＣＰ０１２０、もう１台のＢ社のデジタルカメラで撮影した画像ファイルのファイル名がＫＩＭＧ０００１〜ＫＩＭＧ０００９であったとする。この合計１６枚の画像データをパソコンに取り込んで一元的に管理すべく１つのフォルダ内に保存し、画像ファイルの名称順に再生表示させたとする。すると、画像ファイルの再生表示の順番はファイル名の文字列の文字のアルファベット順および数字順で判定されるので、ＤＳＣＰ０１１４、さらにＤＳＣＰ０１１５、ＤＳＣＰ０１１６・・・・と続き、ＤＳＣＰ０１２０の次にＫＩＭＧ０００１、さらにＫＩＭＧ０００２、ＫＩＭＧ０００３・・・・と続き、最後がＫＩＭＧ０００９の順番となる。
【００１４】
しかし、Ａ社のデジタルカメラでＤＳＣＰ０１１４〜０１２０の画像ファイルを撮影記録した後に、デジタルカメラを取り替えて、Ｂ社のデジタルカメラでＫＩＭＧ０００１〜ＫＩＭＧ０００９を撮影したのでない限り、この画像ファイル名順による画像再生の順序は実際の画像撮影順に一致しない。また、撮影時刻順に画像ファイルを並べ替えて再生表示しても、上述の時差による撮影時刻と実際の撮影順との不一致が生じるため、実際の撮影順にはならない。結局、どのように対応しても、従来技術においては実際の撮影順とすることが不可能となる。
本発明はかかる課題に着目してなされてものであり、実際の撮影日時の順序に画像ファイルを再生表示する方法、システムおよびそのためのソフトウエアの格納された記憶媒体の提供を目的としている。
【課題を解決するための手段】
【００１５】
本発明の画像ファイルの再生表示方法では、被写体を撮像して画像ファイルとして文字列と数字列とを有するファイル名を付して記録手段に記録するに際し、当該記録手段に記録する画像ファイルを再生表示した際に当該表示画像とともに表示可能な撮影時刻情報を当該画像ファイル内に記録された複数の画像ファイルの再生表示方法であって；前記複数の画像ファイルを前記撮影時刻情報の順番に並べ替える第１のステップと；前記第１のステップにおいて並べ替えられた複数の画像ファイルのうち撮影日時が最も古い画像ファイルを抽出する第２のステップと；前記第２のステップにおいて抽出された画像ファイルのファイル名のうちの文字列部分と同じ文字列部分を有する画像ファイルを検索し、検索して得られた画像ファイルのうち、ファイル名の数字列部分が前記第２のステップで抽出された画像ファイルに付された数字列よりも小さい値を有する画像ファイルを抽出する第３のステップと；前記第３のステップで抽出された画像ファイルの再生表示順位置をその数字列の示す数字の大きさの順番に従って前記第１のステップで抽出された画像ファイルよりも早い表示順位置に配置して並べ替えを行なう第４のステップと；前記第２のステップで抽出された画像ファイルのファイル名の文字列とは異なる文字列を有するファイル名の画像ファイルの有無を検索し、検索されたファイル名情報を取得する第５のステップと、
前記第５のステップで取得されたファイル名情報を有する画像ファイルのうち、撮影日時の最も古い画像ファイルを抽出する第６のステップと；前記第５のステップで取得された画像ファイルのファイル名のうちの文字列部分と同じ文字列部分を有する画像ファイルを検索し、検索して得られた画像ファイルのうち、ファイル名の数字列部分が前記第６のステップで抽出された撮影日時の最も古い画像ファイルに付された数字列よりも小さい値を有する画像ファイルを抽出する第７のステップと；前記第７のステップで抽出された画像ファイルの再生表示順位置をその数字列の示す数字の大きさの順番に従って前記第６のステップで抽出された画像ファイルよりも早い表示順位置に配置して並べ替えるに際し、前記第３のステップで抽出され前記第４のステップで表示順位置が並べ替えられた各画像ファイルの有する撮影日時情報と当該第７のステップで抽出された各画像ファイルの撮影日時情報とを比較し、撮影日時の古い順に並べ替えを行なう第８のステップと；前記第８のステップで並べ替えられた表示順に従って画像再生表示を行なう第９のステップと；を有することを特徴としている。
【００１６】
また、本発明の画像ファイルの再生表示システムでは、被写体を撮像して画像ファイルとして文字列と数字列とを有するファイル名を付し、画像ファイルを再生表示した際に当該表示画像とともに表示可能な撮影時刻情報を当該画像ファイル内に記録して記録がなされた記録手段から入力された複数の画像ファイルを記録して再生表示する画像再生表示装置と、画像再生表示装置に読み込まれて画像ファイルを再生表示するためのソフトウエアとを備えた画像ファイルの再生表示システムにおいて；前記ソフトウエアは、前記複数の画像ファイルを前記撮影時刻情報の順番に並べ替える第１のステップと；前記第１のステップにおいて並べ替えられた複数の画像ファイルのうち撮影日時が最も古い画像ファイルを抽出する第２のステップと；前記第２のステップにおいて抽出された画像ファイルのファイル名のうちの文字列部分と同じ文字列部分を有する画像ファイルを検索し、検索して得られた画像ファイルのうち、ファイル名の数字列部分が前記第２のステップで抽出された画像ファイルに付された数字列よりも小さい値を有する画像ファイルを抽出する第３のステップと；前記第３のステップで抽出された画像ファイルの再生表示順位置をその数字列の示す数字の大きさの順番に従って前記第１のステップで抽出された画像ファイルよりも早い表示順位置に配置して並べ替えを行なう第４のステップと；前記第２のステップで抽出された画像ファイルのファイル名の文字列とは異なる文字列を有するファイル名の画像ファイルの有無を検索し、検索されたファイル名情報を取得する第５のステップと；前記第５のステップで取得されたファイル名情報を有する画像ファイルのうち、撮影日時の最も古い画像ファイルを抽出する第６のステップと；前記第５のステップで取得された画像ファイルのファイル名のうちの文字列部分と同じ文字列部分を有する画像ファイルを検索し、検索して得られた画像ファイルのうち、ファイル名の数字列部分が前記第６のステップで抽出された撮影日時の最も古い画像ファイルに付された数字列よりも小さい値を有する画像ファイルを抽出する第７のステップと；前記第７のステップで抽出された画像ファイルの再生表示順位置をその数字列の示す数字の大きさの順番に従って前記第６のステップで抽出された画像ファイルよりも早い表示順位置に配置して並べ替えるに際し、前記第３のステップで抽出され前記第４のステップで表示順位置が並べ替えられた各画像ファイルの有する撮影日時情報と当該第７のステップで抽出された各画像ファイルの撮影日時情報とを比較し、撮影日時の古い順に並べ替えを行なう第８のステップと；前記第８のステップで並べ替えられた表示順に従って画像再生表示を行なう第９のステップと；を有することを特徴としている。
【００１７】
さらに、本発明の記憶媒体では、被写体を撮像して画像ファイルとして文字列と数字列とを有するファイル名を付し、画像ファイルを再生表示した際に当該表示画像とともに表示可能な撮影時刻情報を当該画像ファイル内に記録して記録がなされた記録手段から入力された複数の画像ファイルを記録して再生表示する画像再生表示装置に読み込まれて画像ファイルを再生表示するためのソフトウエアの格納された記憶媒体において；前記ソフトウエアは、前記複数の画像ファイルを前記撮影時刻情報の順番に並べ替える第１のステップと；前記第１のステップにおいて並べ替えられた複数の画像ファイルのうち撮影日時が最も古い画像ファイルを抽出する第２のステップと；前記第２のステップにおいて抽出された画像ファイルのファイル名のうちの文字列部分と同じ文字列部分を有する画像ファイルを検索し、検索して得られた画像ファイルのうち、ファイル名の数字列部分が前記第２のステップで抽出された画像ファイルに付された数字列よりも小さい値を有する画像ファイルを抽出する第３のステップと；前記第３のステップで抽出された画像ファイルの再生表示順位置をその数字列の示す数字の大きさの順番に従って前記第１のステップで抽出された画像ファイルよりも早い表示順位置に配置して並べ替えを行なう第４のステップと、
前記第２のステップで抽出された画像ファイルのファイル名の文字列とは異なる文字列を有するファイル名の画像ファイルの有無を検索し、検索されたファイル名情報を取得する第５のステップと；前記第５のステップで取得されたファイル名情報を有する画像ファイルのうち、撮影日時の最も古い画像ファイルを抽出する第６のステップと；前記第５のステップで取得された画像ファイルのファイル名のうちの文字列部分と同じ文字列部分を有する画像ファイルを検索し、検索して得られた画像ファイルのうち、ファイル名の数字列部分が前記第６のステップで抽出された撮影日時の最も古い画像ファイルに付された数字列よりも小さい値を有する画像ファイルを抽出する第７のステップと；前記第７のステップで抽出された画像ファイルの再生表示順位置をその数字列の示す数字の大きさの順番に従って前記第６のステップで抽出された画像ファイルよりも早い表示順位置に配置して並べ替えるに際し、前記第３のステップで抽出され前記第４のステップで表示順位置が並べ替えられた各画像ファイルの有する撮影日時情報と当該第７のステップで抽出された各画像ファイルの撮影日時情報とを比較し、撮影日時の古い順に並べ替えを行なう第８のステップと；前記第８のステップで並べ替えられた表示順に従って画像再生表示を行なう第９のステップと；を有することを特徴としている。
【発明の効果】
【００１８】
本発明の画像ファイルの再生表示方法によれば、撮影された画像ファイルのファイル名とＥＸＩＦ情報として記録された撮影日時情報との両方に基づいて撮影順を判定して特定できるため、海外旅行において日本との間に時差のある現地時刻に切り換えて複数のデジタルカメラで撮影を行なっても、実際の撮影日時の順序に再生表示を可能ならしめる。
また、実際の撮影日時が画像とともに表示可能とできるため、表示される時刻と画像の内容との間に違和感を生じない。
【００１９】
本発明の画像ファイルの再生表示システムによれば、撮影された画像ファイルのファイル名とＥＸＩＦ情報として記録された撮影日時情報との両方に基づいて撮影順を判定して特定できるため、海外旅行において日本との間に時差のある現地時刻に切り換えて複数のデジタルカメラで撮影を行なっても、実際の撮影日時の順序に再生表示を可能ならしめる。
また、実際の撮影日時が画像とともに表示可能とできるため、表示される時刻と画像の内容との間に違和感を生じない。
【００２０】
本発明の記憶媒体によれば、海外旅行において日本との間に時差のある現地時刻に切り換えて複数のデジタルカメラで撮影された画像についても、実際の撮影日時の順序に再生表示を可能ならしめる。
また、実際の撮影日時が画像とともに表示可能とできるため、表示される時刻と画像の内容との間に違和感を生じない。
【発明を実施するための最良の形態】
【００２１】
本発明では、画像ファイルに撮影時刻情報が記録され、撮影時刻順序に画像ファイルを並び替え、撮影日時の古い画像ファイルを抽出し、画像ファイル名を比較し並び替えて、再生表示している。
【実施例】
【００２２】
以下、図面を参照しながら本発明の実施例を詳細に説明する。ここで、図１は本発明の一実施例におけるカメラシステムを示し、このカメラシステムは、一眼レフタイプのデジタルカメラ１と、コンパクトタイプのデジタルカメラ２の２台のデジタルカメラから構成されている。
ここで、デジタルカメラ１はＡ社のカメラ、デジタルカメラ２はＢ社のカメラと仮定する。すなわち、画像ファイルのファイル名は、上記のように、Ａ社のデジタルカメラ１については、ＤＳＣＰ０００１から付番が開始され、撮影記録が行なわれる度にファイル名の数字部分が増加し、ＤＳＣＰ０００２、ＤＳＣＰ０００３と増加する。また、Ｂ社のデジタルカメラ２については、ＫＩＭＧ０００１から付番が開始され、撮影記録が行なわれる度にファイル名の数字部分が増加し、ＫＩＭＧ０００２、ＫＩＭＧ０００３と増加する。デジタルカメラ１、２で撮影してメモリカード１２、２２に記録保持されている画像ファイルとして、デジタルカメラ１、２は、記憶媒体を着脱自在に装着できるメモリカードスロット１１、２１を有し、記憶媒体としてのメモリカード１２、２２が対応するメモリカードスロット１１、２１に着脱自在に装着される。
【００２３】
図２（Ａ）（Ｂ）は、デジタルカメラ１、２で撮影されてメモリカード１２、２２に記録された画像ファイルデータのデータ構造を示し、ＤＣＩＭという名称のフォルダの下にツリー構造で複数の画像ファイルが並列に記録されている。
デジタルカメラ１で撮影してメモリカード１２に記録保持された画像ファイルとして、図２（Ａ）に示すように、ＤＳＣＰ０１１４〜ＤＳＣＰ０１２０の７枚の画像ファイルがある。同様に、デジタルカメラ２で撮影してメモリカード２２に記録保持されている画像ファイルとして、図２（Ｂ）に示すように、ＫＩＭＧ０００１〜ＫＩＭＧ０００９の９枚の画像ファイルがある。即ち、デジタルカメラ２台で合計１６枚の画像ファイルがデジタルカメラ１、２に装着された２枚のメモリカード１２、２２に分散して記録されている。
【００２４】
ここでは、デジタルカメラ１のファイル名がＤＳＣＰ０１１４から始まっており、それより少ない数字部分を有するＤＳＣＰ０００１〜０１１３が存在しない。これは、すでに画像ファイルを移動あるいは消去してしまったために画像ファイルそのものがメモリカード１２内に残っていないか、あるいは当該メモリカードを新規に装着する直前にデジタルカメラ１内に装着されていたメモリカード内にＤＳＣＰ０１１３までの画像ファイルがすでに記録されていたためである。デジタルカメラ１、２は、本発明の先行技術である特開平１０−１７７６４６号公報に記載のファイル名をリセットしない機能を有するものとして説明する。しかし、この機能は必須のものでなく、デジタルカメラ１、２がこの機能を有さないものであってもよい。
【００２５】
図３は画像ファイル内のデータ構造を模式的に示しており、画像ファイル５０はヘッダ部５１と画像データ部５２とを有して構成されている。ヘッダ部５１には画像データに関する各種情報が格納され、画像データ部５２には１枚の画像データである画像情報そのものが格納される。ヘッダ部５１に格納される各種情報として、シャッタ速度、撮影日時データなどの撮影に関するデータがＥＸＩＦデータとして格納されるが、それ以外にも画像データに関連する分類コードや画像データの履歴情報、ＩＤ情報や印刷関連情報などのさまざまな情報をヘッダ部に格納してもよい。
【００２６】
図４はデジタルカメラ１の主要部のブロック図を示す。図４に示すように、撮影レンズ１３を介して得られた被写体像がＣＣＤ１４に結像され、結像された被写体像は光電変換されて撮像処理回路１５で必要な撮像処理が行なわれる。さらに、記録処理回路１６で例えばＪＰＥＧ形式の画像ファイルに変換され、インターフェース１７を介してメモリカード１２に記録される。ＬＣＤなどのディスプレイ１９は、メモリカードに記録される画像あるいはすでにメモリカード内に記録された画像を再生表示したり、カメラ操作あるいはカメラの各種機能やモード設定を行なう際の表示を行なう。ＣＣＤ１４、撮像処理回路１５、記録処理回路１６、インターフェース１７、ＬＣＤディスプレイ１９は中央処理回路（ＣＰＵ）１８で集中的に制御される。
ＣＰＵ１８は時計機能ブロック１８ａを持ち、時計機能ブロック１８ａはデジタルカメラ１の撮影画像の撮影日時情報を生成する時計機能を有している。さらに、ＣＰＵ１８には操作スイッチ１０ａ〜１０ｆが接続され、操作スイッチによってデジタルカメラ１の各種機能やモードの設定、修正などがなされる。デジタルカメラ２も同様のブロック構成となっており、以下においても特に断らない限り、デジタルカメラ１、２は同様の構成となっている。
【００２７】
図５はパーソナルコンピュータ（パソコン）４の主要部のブロック図を示す。図５に示すように、パソコン４には、画像ファイルを取得するためのインターフェース４１が設けられている。例えば、パソコンカードスロットやＵＳＢコネクタなどがインターフェースに該当し、メモリカードスロットでもよい。さらに、パソコン４には、インターフェース４１から取得した画像ファイルを一時記憶するバッファメモリ４２と、大容量の記録手段であるハードディスクドライブ（ＨＤＤ）４３と、画像データの内容表示やユーザに対する情報通知などを行なうＬＣＤなどのディスプレイ４４と、コマンドの入力手段であるキーボード４５とが設けられており、これらは中央処理回路（ＣＰＵ）４６によって集中的に制御される。
【００２８】
図６はデジタルカメラの背面図を示す。図６において、デジタルカメラ１は一眼レフタイプのデジタルカメラとして説明するが、コンパクトタイプのデジタルカメラ２についても同様の構成となっている。
図６に示すように、デジタルカメラ１の背面１ａには、ＬＣＤディスプレイ１９が配置され、その脇に、操作スイッチとしてのメニューキー１０ａ、決定キー１０ｂが配置されている。そして、決定キー１０ｂの上下左右に選択キー１０ｃ、１０ｄ、１０ｅ、１０ｆが配置されている。もちろん、操作スイッチの種類、配置などは一例にすぎない。
【００２９】
次に、表示時刻および固有時刻の修正の手順を説明する。まず、デジタルカメラ１のパワーオン状態においてメニューキー１０ａを操作する。すると、ＬＣＤディスプレイ１９はメニュー画面（図示しない）に切り換わり、表示されたメニュー画面のメニュー中から、選択キー１０ｃ〜１０ｆを使用して時刻修正モードを選択する。時刻修正モードが選択されると、ＬＣＤディスプレイ１９は図７に示す時刻修正画面に切り換わる。
【００３０】
図７に示すように、デジタルカメラに現在設定されている表示時刻である２００６年３月１５日１６時３４分が、ＬＣＤディスプレイ１９に表示され、西暦年号の下２桁部分の０６が枠で囲まれている。この状態で選択キー１０ｃ、１０ｄを操作すると、０６の数字部分が０７、０８あるいは０５、０４に修正される。ここで例えば、サンフランシスコの現地時刻に修正したい場合には、日本との時差である１７時間を戻すように日時を設定すればよい。枠部分の年号部分から月部分や日付部分への移動は選択キー１０ｅ、１０ｆで行なうことができ、その数字部分の修正は年号部分での修正と同様に、選択キー１０ｃ、１０ｄを操作することによってなされる。この修正によって、画像とともに表示可能な時刻情報を生成するためのＥＸＩＦデータとして画像ファイルのヘッダ部５１に記録される時刻データを発生する時計機能の時刻情報が修正される。
【００３１】
時刻修正が終了すると、決定キー１０ｂが操作されて、メニュー画面（図示しない）に戻り、さらにメニューキー１０ａを操作すると、当初の初期画面に移行する。当初の初期画面は、カメラ撮影動作中であれば被写体のスルー動画像であり、カメラ再生中であれば再生画像表示状態である。
【００３２】
図７に基づいて説明したように、通常、表示時刻の修正は年月日時分をそれぞれ修正設定してなされる。しかし、デジタルカメラ１のＬＣＤディスプレイ１９に世界地図を表示するか、あるいは複数地域のＧＭＴ（グリニッジ標準時）を表示するかして、その中からユーザの居る場所を選択キーで選択して時差を修正して現地時刻に変更してもよい。また、ＧＰＳ（グローバルポジショニングシステム）をデジタルカメラ１に搭載し、そのＧＰＳ機能を利用してユーザの居る場所を自動的に選択する構成としてもよい。世界地図、ＧＭＴをＬＣＤディスプレイ１９に表示したり、ＧＰＳ機能を利用すれば、表示時刻の修正が迅速かつ正確に行なえる。
【００３３】
表示時刻の修正を行なうと、撮影時にＥＸＩＦデータとして記録される撮影日時情報が修正された時刻になる。即ち、画像を再生表示する際の撮影日時情報はこのＥＸＩＦデータを使用するので、修正された日時がデジタルカメラ背面のＬＣＤディスプレイ１９に表示される。上記のサンフランシスコへの海外旅行の例においても現地時間が撮影画像とともに再生表示されるため、表示される時刻と画像の内容との間に違和感は生じない。ＥＸＩＦデータは異なるメーカー間での互換性が確保されているため、表示時刻はこのＥＸＩＦデータに基づいて決定するのが合理的でよい。
【００３４】
図８（Ａ）はデジタルカメラ１によって撮影記録された各画像のＥＸＩＦデータとして記録されている撮影時刻を示し、図８（Ｂ）は、デジタルカメラ２によって撮影記録された各画像のＥＸＩＦデータとして記録されている撮影時刻を示す。
上述のように、日本を出発したのが１月１５日１８時３０分、飛行機に８時間乗ってサンフランシスコに到着した時刻は、日本時間では１月１６日２時３０分であり、日本とサンフランシスコとの間には１７時間の時差がある（サンフランシスコが１７時間遅い）。そのため、現地時刻は１月１５日９時３０分になる状況で撮影されたものとして以下に説明する。また、撮影者は飛行機内において現地到着間近の日本時間１月１６日１時３０分にデジタルカメラの表示時刻を現地時間に合わせたものとし、その時点では現地時間は１月１５日８時３０分となる。
【００３５】
次に、このような２台のデジタルカメラ１、２のメモリカード１２、２２に記録された撮影画像がパーソナルコンピュータ（パソコン）４にコピーされた場合のパソコンでの画像再生について説明する。
パソコンにおける画像再生機能は、通常、画像ファイル名順か、画像ファイルの作成日時順かのいずれかが選択可能になっている。画像ファイルの作成日時は、互換性を有する日時情報であるＥＸＩＦデータが適用される。従って、日本での撮影、時差のある海外（サンフランシスコ）での撮影の混在する実施例の撮影実態の場合には、通常のパソコンでは実際の撮影順での画像再生を行なうことができない。そのため、本発明では、撮影画像の再生表示は、画像再生のための専用のソフトウエアを起動して動作されており、この専用のソフトウエア（本件ソフトウエア）について説明する。
【００３６】
まず、本件ソフトウエアのユーザは、実際の撮影順で画像再生表示を行ないたい画像データのすべてを、パーソナルコンピュータ内で１つのフォルダ内に予めコピーまたは移動しておく。次にその画像再生表示させたいフォルダをディスプレイ４４ａ上で表示させて選択する。この手順を以下に説明する。
【００３７】
パーソナルコンピュータ４を起動させた後に、本件ソフトウエアを起動するとディスプレイ４４の表示は図９に示すようになる。
図９は過去にいくつかのフォルダを作成済でそのそれぞれに複数の画像ファイルを記録した状態を示す。各フォルダは、例えば、西暦２００３年撮影の画像ファイル、西暦２００４年撮影の画像ファイルというように撮影年毎に分類してもよいし、結婚式、旅行などのようなイベント毎に作成してもよい。実施例では、上記のＤＳＣＰ０１１４〜０１２０、ＫＩＭＧ０００１〜０００９の１６の画像ファイルは、図９において、アメリカ旅行というタイトルのフォルダ内にすでにコピーされて保存されているものとする。
【００３８】
図９に示すように、ディスプレイ４４に表示された表示画面４４ａには、複数の操作指示エリア４４ｂ〜４４ｅと、記録されている画像ファイルのツリー構造を表示する表示エリア４４ｆとが配置されている。操作指示エリア４４ｂは撮影された画像を画像ファイル名順に再生表示するモードを選択するスイッチ、４４ｃは撮影された画像を画像上に表示可能な撮影時刻順に再生表示するモードを選択するスイッチ、４４ｄは撮影された画像の実際の撮影順に再生表示するモードを選択するスイッチである。また、操作指示エリア４４ｅは撮影された画像の実際の撮影順に画像データを並べ替えた上でその並べ替え状態が、本件ソフトウエアを使用しない環境であっても可能となるように、画像ファイル名を自動的に置き換える機能を選択するスイッチである。これら３つの４４ｂ〜４４ｄのいずれかのスイッチを選択することにより再生表示を行うモードが決定されて実行され、さらにスイッチ４４ｅを操作した場合には画像ファイルの並べ換えと画像ファイル名の自動付け替えとが実行される。
【００３９】
表示エリア４４ｆには、各フォルダ、画像ファイルの記録されたツリー構造が表示され、画像ファイルが各フォルダの下層に記録されている。スクロールバー４４ｇが表示エリア４４ｆの右端部分に表示されており、１度に表示できないツリー構造部分をスクロールして見ることができる。
【００４０】
まず、ユーザは表示させたいフォルダを表示エリア４４ｆ内から選択する。選択動作は表示エリア４４ｆ内の所望のフォルダをマウスあるいはキーボードで選択クリックすることによって達成される。次にスイッチ（操作指示エリア）４４ｂ〜４４ｄのいずれかを選択して再生表示を行うモードを決定して実行するか、または、スイッチ４４ｅによる画像ファイルの並べ換えと画像ファイル名の自動付け替えを選択して実行する。ユーザによる選択が行われるまでの間はデフォルトとして画像ファイル名順の再生表示が自動選択されるものとするがこれに限定されない。スイッチ４４ｂ〜４４ｄのうちのいずれかが操作されると、図１０の画面に移行する。
【００４１】
図１０は専用のソフトウエアのもとで起動されたパソコンのディスプレイ表示を示す。図１０に示すように、パソコンのディスプレイ４４ａには、図９において述べたと同じ画像の再生順を選択指定する操作指示エリア４４ｂ〜４４ｄに加えて、図９に戻るための操作指示エリア（スイッチ）４４ｈ、撮影画像を再生表示する表示エリア４４ｉ、表示エリア４４ｉに表示されている画像の前後の画像の縮小画像を表示する表示エリア４４ｊ〜４４ｎが配置されている。表示エリア４４ｊ〜４４ｎに表示される縮小画像のうち、中央の表示エリア４４lの縮小画像は表示エリア４４ｉに通常サイズで現在表示されている画像の縮小画像であり、４４ｋはその前の画像再生順の縮小画像、４４ｊはさらにその前の画像再生順の縮小画像、４４ｍは４４ｌの次の画像再生順の縮小画像、４４ｎはさらにその次の画像再生順の縮小画像である。
【００４２】
例えば、図９においてスイッチ４４ｂを選択すると、図１０において表示エリア４４ｉには画像ファイル名順に並べられた画像データが表示される、この状態でスイッチ４４ｃを選択すると、表示順はファイル名順から撮影日時順に切り替わる。
【００４３】
次に、図９あるいは図１０において、実撮影順の表示のためのスイッチ４４ｄを選択操作した場合の動作について図１１のフローチャートを参照しながら説明する。
まず、Ｓ００１においてモードが選択される。ここでは、スイッチ４４ｄを選択操作して実撮影順のモードが選択され、Ｓ００２でパソコン４に記録されているすべての画像ファイルについてそのヘッダ部５１に格納されている撮影日時情報に基づいてその撮影日時順に並び替えられる。実施例においては、図８（Ａ）（Ｂ）に示される１６枚の画像を対象として並べ替えが行われ、その結果、撮影日時の最も古いＤＳＣＰ０１１８を先頭にして、以下、ＫＩＭＧ０００４〜ＫＩＭＧ０００６と続き、次にＤＳＣＰ０１１９、ＤＳＣＰ０１２０、さらにＫＩＭＧ０００１、ＫＩＭＧ０００２と続き、最後がＫＩＭＧ０００９となる。Ｓ００２で並び替えられた画像ファイルを図１２に示す。
図１２に示すように、撮影日時順での順番は、日本とアメリカ（サンフランシスコ）の間の時差（サンフランシスコが１７時間遅い）を無視した順番であって、実際の撮影順（実撮影順）とは異なる。
【００４４】
次に、Ｓ００３において、撮影日時の最も古い画像ファイル名が検索され、実施例ではＤＳＣＰ０１１８が抽出される。そして、Ｓ００４では、抽出したファイル名であるＤＳＣＰ０１１８のうちの固定文字部分のＤＳＣＰの文字列を有する画像ファイルが検索され、ＤＳＣＰの文字列を有する画像ファイルのみを対象とし、その数字部分である０１１８よりも数字部分の順番が早い画像ファイル（数字列の小さな値を有する画像ファイル）が、ＤＳＣＰ０１１８の順番よりも後の順番位置に存在するか否かを画像ファイル１つずつについて検索し、判断する。
【００４５】
実施例では、Ｓ００２で並べ替えた撮影日時順のＤＳＣＰ０１１８より後の順番の中に、ＤＳＣＰ０１１９、ＤＳＣＰ０１２０、ＤＳＣＰ０１１４〜ＤＳＣＰ０１１７の順番でＤＳＣＰの文字列を有する画像ファイルが混在している。この中でＤＳＣＰ０１１８より早い順番の画像ファイルとしてＤＳＣＰ０１１４〜ＤＳＣＰ０１１７があるから、ＤＳＣＰ０１１４〜ＤＳＣＰ０１１７が抽出される。そして、Ｓ００５において、ＤＳＣＰ０１１４〜０１１７の順番をＤＳＣＰ０１１８より古い順番位置（早い表示順位置）に再定義して並べ替えが行われる。従って、この時点では、画像ファイルの順番は、ＤＳＣＰ０１１４、ＤＳＣＰ０１１５、ＤＳＣＰ０１１６、ＤＳＣＰ０１１７、ＤＳＣＰ０１１８となり、次にＫＩＭＧ０００４、ＫＩＭＧ０００５と進み、最後がＫＩＭＧ０００９となる。
【００４６】
この再定義によって、ＤＳＣＰの固定文字を有する画像ファイルの撮影順が特定されたことになる。なぜなら、ＤＳＣＰの固定文字を有する画像ファイルどうしは、実際にはその画像ファイル名順に撮影されており、撮影日時の最も古い画像ファイル名より早い順番の画像ファイルにおいては、画像ファイル名順は撮影日時順に一致するからである。
Ｓ００５において並び替えられた画像ファイルを図１３に示す。なお、Ｓ００４の判断の結果、該当する画像ファイルがなければ、Ｓ００６に進む。
【００４７】
次に、Ｓ００６においてＤＳＣＰとは異なる固定文字を有する画像ファイルがあるか否かを検索し、判断する。実施例では、ＤＳＣＰと異なる固定文字のＫＩＭＧが存在するためＳ００７に進んで、画像ファイルに付されているＫＩＭＧの固定文字の情報を取得し、このＫＩＭＧの文字列を有する画像ファイルのうちの撮影日時の最も古い画像ファイルがＳ００８で抽出される。ここでは、ＫＩＭＧ０００４が最も古いため、ＫＩＭＧ０００４が抽出されて、Ｓ００９に進む。異なる固定文字の文字列を有する画像ファイルがなければ、実撮影順への並べ替えは終了したこととなり、Ｓ０１１で画像表示される。
Ｓ００９では、ＫＩＭＧ０００４のうちの固定文字部分であるＫＩＭＧの文字列を有する画像ファイルのみを対象とし、Ｓ００８で抽出された撮影日時の最も古い画像ファイルＫＩＭＧ０００４の数字部分の０００４よりも画像ファイル名順の順番が早い画像ファイル、すなわち、数字列の小さな値の画像ファイルが、ＫＩＭＧ０００４の順番より後の順番位置に存在するか否かを画像ファイル１つずつについて判断される。
【００４８】
即ち、図１３において、ＫＩＭＧ０００４より後の順番位置の中にはＫＩＭＧ０００１、ＫＩＭＧ０００２、ＫＩＭＧ０００３が存在するため、ＫＩＭＧ０００１、ＫＩＭＧ０００２、ＫＩＭＧ０００３がＳ００９で抽出される。
そして、Ｓ０１０において、この順番、つまり、ＫＩＭＧ０００１、ＫＩＭＧ０００２、ＫＩＭＧ０００３の順番でＫＩＭＧ０００４より古い順番位置に再定義し並び替える。ただし、ここではＫＩＭＧ０００４より古い側の順番位置にＤＳＣＰ０１１４〜ＤＳＣＰ０１１８がすでに配置されている。そのため、ＫＩＭＧ０００１、０００２、０００３の再定義（再配置）の際には、各画像ファイルの有する撮影日時情報を利用し、その撮影日時の古い順に配置位置を決定して並べ替えを行なう。Ｓ０１０での並べ替えが終了した時点の画像ファイルを図１４に示す。
【００４９】
Ｓ０１０での再定義（並び替え）が終了すると、Ｓ００６に戻って、異なる固定文字列の有無が検索され、異なる固定文字列がないと判断されるまで、Ｓ００６〜Ｓ０１０が繰り返される。実施例ではＤＳＣＰ、ＫＩＭＧの固定文字列以外の固定文字列を有する画像ファイルは存在しないので画像表示に進み、Ｓ０１１において実撮影順での表示が実行される。
【００５０】
次に、本発明では、撮影された画像の実際の撮影順に画像データを並べ替えた上でその並べ替え状態が、本件ソフトウエアを使用しない環境であっても可能となるように画像ファイル名を自動的に置き換える機能（リネーム機能）を有して構成されている。すなわち、操作指示エリア４４ｅを選択操作すると、実撮影順に並び替えられた画像データが、本件ソフトウエアを使用しない環境であっても可能となるように画像ファイル名が自動的に付け替えられる。操作指示エリア４４ｅを選択操作した場合の動作を図１５のフローチャートに従って説明する。
【００５１】
まず、Ｓ１０１で操作指示エリア４４ｅが選択操作されてリネームモードが選択されると、図１１で説明したＳ００２〜Ｓ０１０と同じＳ１０２〜Ｓ１１０の各動作がなされ、画像ファイルが実撮影順に並べ替えられる。並べ替えが終了すると、Ｓ１１１において、ファイル名の置き換えられる画像ファイルを格納するための新規なフォルダが自動的に作成され、パソコンのディスプレイ４４ａの表示エリア４４ｇに表示される。
そして、Ｓ１０２〜１１０において並べ替えの終了した画像ファイルは、Ｓ１１２において、その順番での画像再生を可能となるように画像ファイル名を新規に付与し、その画像ファイル名順に従えば実撮影順になるように画像ファイル名が決定される。即ち、新規な固定文字列、数字部分を有する画像ファイル名が生成され、画像ファイルにそれまで付されていた画像ファイル名に置き換えて記録がなされる。即ち、ヘッダ部５１に記録されている画像ファイル名が置き換えられる。そして、置き換えられたファイル名が表示エリア４４ｇに表示される。
【００５２】
Ｓ１１３でファイル名の置き換えの終了していない画像ファイルの有無が判断され、置き換えの終了していない画像ファイルがあれば、Ｓ１１２に戻って置き換えが続行される。置き換えの終了していない画像ファイルがなければ、Ｓ１１４に進んで置き換えが終了した旨が表示されて終了する。
【００５３】
図１４に示す実撮影順に並び替えられた各画像ファイルは、例えば、ＫＩＭＧ０００１がＸＡＡＡ０００１、ＫＩＭＧ０００２がＸＡＡＡ０００２、ＤＳＣＰ０１１４がＸＡＡＡ０００３とそれぞれ置き換えられ（リネームされ）、最後の順番のＫＩＭＧ０００９がＸＡＡＡ００１６に置き換えられる。置き換えられた画像ファイルを図１６に示す。図１６に示すように、ファイル名の置き換えられた各画像ファイルでは、実撮影順となる画像ファイル名が付与され、編集されているから、画像ファイル名順の画像再生表示を行えば実撮影順での再生表示が行なえる。画像ファイル名順の画像再生表示はどのパソコンでも可能であるため、本件ソフトウエアのインストールされていないパソコンにおいても実撮影順での画像再生表示が行える。
【００５４】
このように、操作指示エリア４４ｅを選択操作することにより、撮影された画像の実際の撮影順に画像データが並べ替えられ、統一した画像ファイル名に自動的に置き換えられる。そのため、例えば、実撮影順での画像再生を可能とするように画像ファイル名の置き換えられた画像ファイルをＣＤ−Ｒ、フラッシュメモリ、メモリースティック、ＦＤなどの搬送可能な記憶媒体にコピーして知人に送付すれば、本件ソフトウエアのインストールがなくても、実撮影順での画像再生表示が行なえ、本発明の有用性は非常に大きい。もちろん、リネームされた画像ファイルは、インターネットなどを介し知人のパソコンに直接送付してもよい。
【００５５】
ＸＡＡＡ０００１という画像ファイル名の生成、置き換えの際に、それまで当該画像ファイルに付されていたオリジナルのファイル名であるＫＩＭＧ０００１を、画像ファイル内に記録してもよいし、ＥＸＩＦで規定されているオプションの記録領域に記録してもよい。もちろん記録場所はＥＸＩＦに限定されず、画像ファイルのヘッダ領域であってよい。画像ファイル名の置き換えの際に撮影時のオリジナルのファイル名を記録して、置き換え前のファイル名を残しておけば、いつでもその情報を利用して撮影時のオリジナルのファイル名に復帰でき、編集が容易に行なえる。例えば、デジタルカメラ１で撮影した画像ファイルのみを対象として、全く別の観点から画像ファイル管理を行ないたいニーズが上記の置き換え処理の終了後に生じた場合でも、ファイル名をすでに置き換えた画像ファイルのファイル名を置き換え前のオリジナルのファイル名に戻した後にファイル名順のソートなどを行なうことによって必要な画像ファイルの並べ替えが容易にでき、編集上有用である。もちろん、オリジナルのファイル名への復帰（再置き換え）の際に、その直前までファイル名として使用していたＸＡＡＡ０００１というファイル名をさらに記録しておくこともできる。
【００５６】
上記実施例は、この発明を説明するためのものであり、この発明を何等限定するものでなく、この発明の技術範囲内で上記以外の変形、改造などの施されたものも全てこの発明に包含されることはいうまでもない。
例えば、実施例ではデジタルカメラで撮影された画像データを対象としている。しかし、デジタルカメラに限定されず、デジタルカメラと同等の機能を持つものから画像データを得てもよい。例えば、カメラ機能により撮影したデータを記憶媒体に記録し、メール機能によってパソコンヘデータを送信する携帯電話をデジタルカメラの代わりに利用できる。また、対象とする画像データは静止画に限定されず、動画でもよく、例えばデジタルビデオカメラからの動画データを対象としてもよい。
【００５７】
さらに、実施例ではパーソナルコンピュータ（パソコン）を利用してデジタルカメラの画像データを一括して保存、管理して再生画像を表示している。しかし、パソコンに限定されず、同等の機能を持つものをパソコンの代わりに利用できる。例えば、ハードディスク、または記憶媒体などのメモリ機能を有するカードリーダーなどの記憶媒体、または、デジタルビデオカメラ、ＤＶＤレコーダープレイヤー、ハードディスク内蔵のテレビなどが利用できる。
【００５８】
上記のように、本発明では、撮影された画像ファイルのファイル名とＥＸＩＦ情報として記録された撮影日時情報との両方に基づいて撮影順を判定して特定できるため、海外旅行において日本との間に時差のある現地時刻に切り換えて複数のデジタルカメラで撮影を行なっても、実際の撮影日時の順序に再生表示できる。
また、実際の撮影日時が画像とともに表示されるため、表示される時刻と画像の内容との間に違和感を生じない。
そして、画像再生表示のための専用のソフトウエアを使用すれば、メーカーの異なる複数台のデジタルカメラで撮影するだけでなく、撮影日時に時差のある画像ファイルが混在した撮影状態であっても、実撮影順に並べ替えて画像再生表示を行うことができ、その作用効果は極めて大きい。
専用のソフトウエアによって実撮影順での画像再生を可能とした画像ファイルが生成できるため、それを記憶媒体にコピーして記憶媒体を送付したり、インターネットによって直接送付することにより、専用のソフトウエアのインストールされていない第三者のパーソナルコンピュータなどにおいても実撮影順での画像再生表示が行なえる。
【産業上の利用可能性】
【００５９】
本発明は、画像データにファイル名、撮影時刻などを付与して撮影記録されたデジタルカメラなどの画像ファイルをパソコンなどで一括して保存し管理する画像ファイルの再生表示に広範囲に応用できる。
【図面の簡単な説明】
【００６０】
【図１】本発明の一実施例におけるカメラシステムを示す。
【図２】（Ａ）（Ｂ）はデジタルカメラのメモリカードに記録された画像ファイルデータのデータ構造を示す。
【図３】画像ファイル内のデータ構造を模式的に示す。
【図４】デジタルカメラの主要部のブロック図を示す。
【図５】パーソナルコンピュータのブロック図を示す。
【図６】デジタルカメラの背面図を示す。
【図７】デジタルカメラの背面のＬＣＤディスプレイの時刻修正画面を示す。
【図８】（Ａ）（Ｂ）はデジタルカメラで撮影記録された各画像の撮影時刻を示す。
【図９】専用のソフトウエアのもとで起動されたパーソナルコンピュータのディスプレイ表示（初期画面）を示す。
【図１０】専用のソフトウエアのもとで起動されたパーソナルコンピュータの別のディスプレイ表示を示す。
【図１１】画像ファイルを撮影日時順に並び替えて表示するフローチャートを示す。
【図１２】撮影日時順への並び替えの途中における画像ファイルを示す。
【図１３】撮影日時順への並び替えの途中における画像ファイルを示す。
【図１４】撮影日時順への並び替えの終了した画像ファイルを示す。
【図１５】画像ファイルを実撮影順に並び替え、画像ファイル名を置き換えるフローチャートを示す。
【図１６】実撮影順に並び替えられて画像ファイル名の置き換えの終了した画像ファイルを示す。
【符号の説明】
【００６１】
１、２    デジタルカメラ
１ａ    デジタルカメラ背面
４      パーソナルコンピュータ（パソコン）
１０ａ〜１０ｆ  操作スイッチ
１２、２２    メモリカード
１９    デジタルカメラ背面のＬＣＤディスプレイ
４４    パーソナルコンピュータのディスプレイ    
４４ａ    ディスプレイの表示画面
４４ｂ〜４４ｄ  画像の再生順を選択指定する操作指示エリア
４４ｅ    ファイル名を置き換えて表示する表示エリア
４４ｈ    別の表示画面への復帰を指定する表示エリア
４４ｊ〜４４ｎ  縮小画像を表示する表示エリア
５０    画像ファイル
５１    ヘッダ部
５２    画像データ部
【図１】
2007281740.tif 000003
【図２】
2007281740.tif 000004
【図３】
2007281740.tif 000005
【図４】
2007281740.tif 000006
【図５】
2007281740.tif 000007
【図６】
2007281740.tif 000008
【図７】
2007281740.tif 000009
【図８】
2007281740.tif 000010
【図９】
2007281740.tif 000011
【図１０】
2007281740.tif 000012
【図１１】
2007281740.tif 000013
【図１２】
2007281740.tif 000014
【図１３】
2007281740.tif 000015
【図１４】
2007281740.tif 000016
【図１５】
2007281740.tif 000017
【図１６】
2007281740.tif 000018